(57)【要約】【課題】コーキングの作業を容易にし、防水性を向上させた換気フードを提供することを目的とする。【解決手段】外壁に設けられた換気用ダクトに取り付けられる換気フードにおいて、ダクトの室外側の開口周縁の外壁と換気フードの接続基部とが所定の間隔を空けて配置されることで形成された溝部に対して、コーキング材を充填する充填口を備えたガイド支持体を配置し、ガイド支持体の充填口から溝部にコーキング材を充填することで外壁に換気フードを固定するという構成を有する。【選択図】図４
2019174019.tif 000002
【特許請求の範囲】
【請求項１】
外壁に設けられた室内と室外とを連通するダクトの内部に配置される筒状の接続部と、
前記接続部の一端を覆うカバーと、を備えた換気フードにおいて、
前記接続部は、前記ダクトの外壁側開口から外方へ突出するように配置され、前記接続部の一端側の端縁から前記外壁と対向するように延出して設けられた接続基部とを備えており、
前記外壁側開口周縁の前記外壁と前記接続基部とが所定の間隔を空けて配置されることで形成された溝部に対して、前記溝部に接する前記外壁及び前記接続基部とを覆い、前記溝部にコーキング材を充填する充填口を備えたガイド支持体を配置し、前記ガイド支持体の前記充填口から前記溝部に前記コーキング材を充填することで前記外壁に固定されることを特徴とする換気フード。
【請求項２】
外壁に設けられた室内と室外とを連通するダクトの内部に配置される筒状の接続部と、
前記接続部の一端を覆うカバーと、を備えた換気フードを前記外壁に固定する固定方法において、
前記接続部を前記ダクトの内部に配置し、前記ダクトの外壁側開口の周縁の前記外壁と、前記接続部の一端側の端縁から前記外壁と対向するように延出して設けられた接続基部とが所定の間隔を空けて配置される工程と、
前記外壁側開口周縁の前記外壁と前記接続基部とが所定の間隔を空けて配置されることで形成された溝部に対して、前記溝部に接する前記外壁及び前記接続基部とを覆い、前記溝部にコーキング材を充填する充填口を備えたガイド支持体を配置する工程と、
前記ガイド支持体の前記充填口から前記溝部に前記コーキング材を充填する工程と、
前記ガイド支持体の前記充填口から溢出する前記コーキング材を除去する工程と、
前記ガイド支持体を前記溝部に接する前記外壁及び前記接続基部から取り外す工程と、
を備えたことを特徴とする前記換気フードを前記外壁に固定する固定方法。
【請求項３】
外壁に設けられた室内と室外とを連通するダクトの内部に配置される筒状の接続部及び前記接続部の一端を覆うカバーとを備えた換気フードと前記外壁との固定に用いられるガイド支持体において、
前記接続部が前記ダクトの外壁側開口に配置され、前記外壁側開口の周縁の前記外壁と前記外壁側開口の周縁の前記外壁に対向するように配置された前記換気フードの接続基部とによって形成された溝部において、前記溝部に接する前記外壁及び前記接続基部とを覆い、前記溝部にコーキング材を充填する充填口を備えたことを特徴とするガイド支持体。
【請求項４】
前記ガイド支持体は、一対のガイド支持体部材が係合することで、前記溝部に接する前記外壁及び前記接続基部を覆うことを特徴とする請求項３に記載のガイド支持体。
【発明の詳細な説明】
【技術分野】
【０００１】
本発明は、建物の換気を行うためにダクトの外壁側開口に取り付けられる換気フードに関するものである。
【背景技術】
【０００２】
従来、ダクトの外壁側開口に取り付けられる換気フードとダクトの外壁側開口周縁の外壁面との隙間に対して、コーキングが施すことで防水性を得ていた。このとき、換気フードの外壁面側における側面と外壁面とがコーキングで覆われる構成となっていた。近年、激しい風雨が増加する中で、換気フードと外壁との間の防水性の向上が求められている。
【０００３】
以下、従来の換気フードについて図７、図８を参照しながら説明する。
【０００４】
図７は、室内側１０１と室外側１０２を連通するダクト１０３に接続される筒状の接続部１０４と、前記接続部１０４の一端を覆うカバー１０５と、を備えた外壁１０６に配置される換気フード１０７の構成を示した概略断面図である。
換気フード１０７と外壁１０６面との隙間の防水性を得るために、外壁１０６に接する換気フード１０７の外壁端部１０８と外壁１０６との２面を接地面とした、コーキング材１０９が施されていている。図７が示すように、このコーキング材１０９は、断面形状が三角形になる三角コーキング１０９が施されている。
【０００５】
また、図８に示すように、換気フード１０７の外壁端部１０８と外壁１０６との２面を接地面とするようにコーキング材１０９を充填する際には、コーキング材１０９充填箇所以外の換気フード１０７や外壁１０６に付着しないように、マスキングテープ１１０の貼り付けを行っている。マスキングテープ１１０の貼り付けは、コーキング材１０９充填箇所の外周に沿って配置されている。
【先行技術文献】
【特許文献】
【０００６】
【特許文献１】特許第３４８８１３９号公報
【特許文献２】特開平０６−９４２７７号公報
【発明の概要】
【発明が解決しようとする課題】
【０００７】
換気フードと外壁面との隙間の防水性を得るために、外壁に接する換気フードの外壁端部と外壁との２面を接地面としコーキング材を充填する構成では、換気フードの外壁端部または外壁のいずれか1面のコーキング材が剥離した場合、防水性を失うという課題を有していた。
【０００８】
また、換気フードの断面が円や曲面を有する形状等で構成されている場合、換気フードの外壁端部が曲線形状となり、コーキング材充填箇所の外周に沿って長片状のマスキングテープをはることが困難であった。したがって、マスキングテープの位置ズレによって、コーキング材充填箇所以外の換気フード１０７や外壁１０６にコーキング材が一部付着するという課題を有していた。
【０００９】
そこで、本発明は、上記従来の課題を解決するものである換気フード及び換気フードを外壁に固定するのに供するガイド支持体並びに換気フードを外壁に固定する固定方法を提供することを目的とする。
【課題を解決するための手段】
【００１０】
そして、この目的を達成するために、本発明は、外壁に設けられた室内と室外とを連通するダクトの内部に配置される筒状の接続部と、前記接続部の一端を覆うカバーと、を備えた換気フードにおいて、前記接続部は、前記ダクトの前記外壁側開口から外方へ突出するように配置され、前記接続部の一端側の端縁から前記外壁と対向するように延出して設けられた接続基部とを備えており、前記外壁側開口周縁の前記外壁と前記接続基部とが所定の間隔を空けて配置されることで形成された溝部に対して、前記溝部に接する前記外壁及び前記接続基部とを覆い、前記溝部にコーキング材を充填する充填口を備えたガイド支持体を配置し、前記ガイド支持体の前記充填口から前記溝部に前記コーキング材を充填することで前記外壁に固定されることとしたものであり、これにより所期の目的を達成するものである。
【発明の効果】
【００１１】
本発明によれば、外壁側開口周縁の外壁と換気フードの接続基部とが所定の間隔を空けて配置されることで形成された溝部に対してコーキング材を充填するため、接地箇所が外壁側開口周縁の外壁と換気フードの接続部、接続基部の３面となり防水性を向上させることができるという効果を備えている。また、溝部にコーキング材を充填する充填口を備えたガイド支持体を配置することで、換気フードの接続部、接続基部が曲線形状であっても、マスキングテープを用いることが無いため、コーキング材充填箇所以外の換気フードや外壁にコーキング材が一部付着することを抑制することができるという効果を備えている。
【図面の簡単な説明】
【００１２】
【図１】本発明の実施の形態の換気フードとガイド支持体の分解斜視図である。
【図２】本発明の実施の形態の換気フードの接続部がダクトに配置され、コーキング材が充填される前の状態を示した概略断面図である。
【図３】本発明の実施の形態の換気フードの接続部がダクトに配置され、コーキング材が充填される前の状態を示した斜視図である。
【図４】本発明の実施の形態の換気フードにコーキング材が充填された状態を示した斜視図である。
【図５】本発明の実施の形態の換気フードにコーキング材が充填された状態を示した概略断面図である。
【図６】本発明の実施の形態の換気フードにコーキング材が充填され、ガイド支持体が取り外された状態を示した斜視図である。
【図７】従来の換気フードにコーキング材が充填された状態を示した概略断面図である。
【図８】従来の換気フードにコーキング材が充填された状態を示した斜視図である。
【発明を実施するための形態】
【００１３】
本発明の請求項１記載の換気フードは、外壁に設けられた室内と室外とを連通するダクトの内部に配置される筒状の接続部と、前記接続部の一端を覆うカバーと、を備えた換気フードにおいて、前記接続部は、前記ダクトの前記外壁側開口から外方へ突出するように配置され、前記接続部の一端側の端縁から前記外壁と対向するように延出して設けられた接続基部とを備えており、前記外壁側開口周縁の前記外壁と前記接続基部とが所定の間隔を空けて配置されることで形成された溝部に対して、前記溝部に接する前記外壁及び前記接続基部とを覆い、前記溝部にコーキング材を充填する充填口を備えたガイド支持体を配置し、前記ガイド支持体の前記充填口から前記溝部に前記コーキング材を充填することで前記外壁に固定される、という構成を有する。
【００１４】
この構成により、外壁側開口周縁の外壁と換気フードの接続基部とが所定の間隔を空けて配置されることで形成された溝部に対してコーキング材を充填するため、接地箇所が外壁側開口周縁の外壁と換気フードの接続部、接続基部の３面となり防水性を向上させることができるという効果を備えている。また、溝部にコーキング材を充填する充填口を備えたガイド支持体を配置することで、換気フードの接続部、接続基部が曲線形状であっても、マスキングテープを用いることが無いため、コーキング材充填箇所以外の換気フードや外壁にコーキング材が一部付着することを抑制することができるという効果を備えている。
【００１５】
また、外壁に設けられた室内と室外とを連通するダクトの内部に配置される筒状の接続部と、前記接続部の一端を覆うカバーと、を備えた換気フードを前記外壁に固定する固定方法において、前記接続部を前記ダクトの内部に配置し、前記ダクトの外壁側開口の周縁の前記外壁と前記接続部の一端側の端縁から前記外壁と対向するように延出して設けられた接続基部とが所定の間隔を空けて配置される工程と、前記外壁側開口周縁の前記外壁と前記接続基部とが所定の間隔を空けて配置されることで形成された溝部に対して、前記溝部に接する前記外壁及び前記接続基部とを覆い、前記溝部にコーキング材を充填する充填口を備えたガイド支持体を配置する工程と、前記ガイド支持体の前記充填口から前記溝部に前記コーキング材を充填する工程と、前記ガイド支持体の前記充填口から溢出する前記コーキング材を除去する工程と、前記ガイド支持体を前記溝部に接する前記外壁及び前記接続基部から取り外す工程と、を備えた方法にしてもよい。
【００１６】
この方法により、外壁側開口周縁の外壁と換気フードの接続基部とが所定の間隔を空けて配置されることで形成された溝部に対してコーキング材を充填するため、接地箇所が外壁側開口周縁の外壁、換気フードの接続部、接続基部の３面となり防水性を向上させることができるという効果を備えている。また、溝部にコーキング材を充填する充填口を備えたガイド支持体を配置し、ガイド支持体の充填口から溝部にコーキング材を充填することで、マスキングテープの配置工程を省くことができ、作業工程を簡易にすることができるという効果を備えている。
【００１７】
また、外壁に設けられた室内と室外とを連通するダクトの内部に配置される筒状の接続部及び前記接続部の一端を覆うカバーとを備えた換気フードと前記外壁との固定に用いられるガイド支持体において、前記接続部が前記ダクトの外壁側開口に配置され、前記外壁側前記開口の周縁の前記外壁と前記外壁側前記開口の周縁の前記外壁に対向するように配置された前記換気フードの接続基部とによって形成された溝部において、前記溝部に接する前記外壁及び前記接続基部とを覆い、前記溝部にコーキング材を充填する充填口を備えた、という構成にしてもよい。
【００１８】
このガイド支持体の構成により、外壁側開口周縁の外壁と換気フードの接続基部とが所定の間隔を空けて配置されることで形成された溝部に対してコーキング材を充填するため、接地箇所が外壁側開口周縁の外壁、換気フードの接続部、接続基部の３面となり防水性を向上させることができるという効果を備えている。また、溝部にコーキング材を充填する充填口を備えたガイド支持体を配置し、ガイド支持体の充填口から溝部にコーキング材を充填することで、マスキングテープの配置工程を省くことができ、作業工程を簡易にすることができるという効果を備えている。
【００１９】
また、前記ガイド支持体は、一対のガイド支持体部材が係合することで、前記溝部に接する前記外壁及び前記接続基部を覆う構成としてもよい。
【００２０】
このガイド支持体の構成により、コーキング材の充填後に、ガイド支持体を外壁及び接続基部より容易に取り外すことができることとなる、という効果を奏する。
【００２１】
以下、本発明の実施の形態について図面を参照しながら説明する。
【００２２】
（実施の形態１）  図１に示すように、外壁１に取り付けられる換気フード２は、筒状の接続部３と、接続部３の一端側の端縁から外壁１と対向するように接続部３の外面より延出して設けられた接続基部４と、接続部３の一端の開口を覆うカバー５を備えている。接続基部４は、接続部３の外面より延出して設けられ、環状の外形をしている。また、接続基部４は、接続基部４の外縁と接続部３の外縁との間に外壁１側に突出する台座６を設けている。台座６は、接続部３の一端側の外周を覆うように環状の外形をしている。例として、接続部３の径はφ９７ｍｍ、台座６の径はφ１４０ｍｍ、接続基部４の環状の径はφ１６０ｍｍであり、台座６の外壁１側に突出する高さは１０ｍｍである。
【００２３】
図１に示すように、ガイド支持体７は、環状の形状をしているが、換気フード２への取り付けを容易にするため、環状が一部切り欠かれた形状をしている。ガイド支持体７は、接続基部４を覆う部分と、接続基部４に対向する外壁１の周辺を覆う部分から構成さている。接続基部４を覆う部分と、接続基部４に対向する外壁１の周辺を覆う部分とが環状に形成されており、接続基部４を覆う部分と接続基部４に対向する外壁１の周辺を覆う部分との間に切り欠きである充填口１４が形成されている。なお、ガイド支持体７は、環状の形状以外であってもよく、例えば、２つの半円状の部材で構成されていてもよい。このとき、一対の半円状のガイド支持体７が、環状の溝１２の片側半分をそれぞれ覆うように配置し、一対のガイド支持体７の部材を係合することで、溝部１２に接する外壁１及び接続基部４を覆う構成とする。
【００２４】
図２に示すように、外壁１のダクト８に換気フード２の接続部３が配置されている。ダクト８は、室内９と室外１０とを連通する筒状の構成である。換気フード２の接続部３の一端側の一部は、ダクト８の外壁１側開口１１から外方へ突出するように配置される。接続基部４は、接続部３の一端側の端縁から外壁１と対向するように延出して設けられる。接続基部４は環状の外形をしている。接続基部４から外壁１側に突出する台座６を設けている。台座６は、接続部３の一端側の外周を覆うように環状の外形をしていて、外壁１に当接するように配置されている。
【００２５】
図２に示すように、外壁１と対向するように接続基部４の外縁と、外壁１に当接する台座６と、接続基部４に対向する外壁１によって、溝部１２が形成されている。図２に示すように実施例において、溝部１２の断面の大きさは、台座６から接続基部４の外縁までの長さが１０ｍｍであり、台座６が外壁１側に突出する長さが１０ｍｍとなる。図２に示すよう、溝部１２の断面形状は、四角形になる。
【００２６】
図３に示すように、ガイド支持体７は、外壁１に取り付けられた換気フード２の接続基部４を覆うように配置されている。また、図２に示すように、ガイド支持体７によって、接続基部４の外縁と、接続基部４に対向する外壁１の周辺とが覆われている。このとき、ガイド支持体７の充填口１４の開口と、溝部１２の開口とが一致するように配置する。ガイド支持体７の充填口１４より、コーキング材１３が充填される。
【００２７】
図４は、ガイド支持体７の充填口１４から、換気フード２と外壁１とで形成された溝部１２に、コーキング材１３が充填された状態を示している。このとき、ガイド支持体７の充填口１４から充填されたコーキング材１３の一部がガイド支持体７の充填口１４から漏れ出た場合、ガイド支持体７の接続基部４を覆う部分と、接続基部４に対向する外壁１の周辺を覆う部分とに付着する。したがって、コーキング材１３充填箇所以外の換気フード２や外壁１にコーキング材１３が一部付着することを抑制することができるという効果を備えている。
【００２８】
図５は、外壁１のダクト８に取り付けられた換気フード２の断面図である。
図５に示すように、接続基部４と、外壁１に当接する台座６と、接続基部４に対向する外壁１とによって形成された溝部１２は、ガイド支持体７の充填口１４からコーキング材１３が充填された状態である。コーキング材１３は、接着性と粘性を備えた材質であるため、ガイド支持体７の充填口１４から充填されたコーキング材１３が充填口１４から漏れ出ることがない。この構成により、溝部１２に対してコーキング材１３を充填することで、接地箇所がダクト８の外壁１側開口１１周縁の外壁１と、換気フード２の台座６、接続基部４の３面がコーキング材１３で充填される。したがって、３面がコーキング材１３で充填される本構成は、２面にコーキング材１３が充填される構成と比較し、防水性を向上させることができるという効果を備えている。
【００２９】
図６は、ガイド支持体７の充填口１４から溝部１２にコーキング材１３が充填された後に、ガイド支持体７が溝部１２から取り外された状態を示している。図６に示すように、ガイド支持体７の充填口１４から溝部１２に充填されたコーキング材１３は、ガイド支持体７によって、外壁１及び接続基部４の側面に付着することなく溝部１２にのみ充填されている。
【００３０】
また、換気フード２を外壁１に固定する固定方法について説明する。始めに、換気フード２の接続部３をダクト８の内部に配置する。このとき、ダクト８の外壁１側開口１１の周縁の外壁１と接続部３の一端側の端縁から外壁１と対向するように延出して設けられた接続基部４とが所定の間隔を空けて配置する配置工程を行う。図２は、配置工程を行った後の換気フード２及びダクト８の断面図である。
【００３１】
その後、溝部１２を覆うように、コーキング材１３を充填する充填口１４を備えたガイド支持体７を配置する工程を行う。ガイド支持体７は、切り欠きを備えた環状の構造であるため、容易に変形が可能な構造である。
【００３２】
さらに、ガイド支持体７の充填口１４から溝部１２にコーキング材１３を充填する充填工程を行う。
【００３３】
充填工程の後、ガイド支持体７の充填口１４から溢出するコーキング材１３を溝部１２に充填されたコーキング材１３からカッター等で切り離す除去工程を行う。
【００３４】
除去工程の後、ガイド支持体７を溝部１２に接する外壁１及び接続基部４から取り外す工程を行うことによって、換気フード２を外壁１に固定することができる。
【００３５】
上記方法により、溝部１２に対してコーキング材１３を充填することで、接地箇所が外壁１側開口１１周縁の外壁１と換気フード２の接続部３、接続基部４の３面となり防水性を向上させることができるという効果を備えている。また、溝部１２にコーキング材１３を充填する充填口１４を備えたガイド支持体７を配置し、ガイド支持体７の充填口１４から溝部１２にコーキング材１３を充填することで、マスキングテープの配置工程を省くことができ、作業工程を簡易にすることがき、コーキング材１３の意図しない外壁１及び接続基部４等への付着を防ぐことができる。
【産業上の利用可能性】
【００３６】
本発明にかかる換気フードは、換気フードの端部の形状に合わせて円形状になるように、マスキングテープを貼ることのなく、接地面が３面になる四角コーキングの作業を容易に施すことができることを可能とするものであるので、室外側に取り付けられる換気フードなどとしても有用である。
【符号の説明】
【００３７】
１    外壁
２    換気フード
３    接続部
４    接続基部
５    カバー
６    台座
７    ガイド支持体
８    ダクト
９    室内
１０    室外
１１    開口
１２    溝部
１３    コーキング材
１４    充填口
１０１    室内側
１０２    室外側
１０３    ダクト
１０４    接続部
１０５    カバー
１０６    外壁
１０７    換気フード
１０８    外壁端部
【図１】
2019174019.tif 000003
【図２】
2019174019.tif 000004
【図３】
2019174019.tif 000005
【図４】
2019174019.tif 000006
【図５】
2019174019.tif 000007
【図６】
2019174019.tif 000008
【図７】
2019174019.tif 000009
【図８】
2019174019.tif 000010